(57)【特許請求の範囲】
【請求項１】
穿孔パターンの形での安全のための特徴を備えてなる偽造から保護すべき書類であって、
前記穿孔パターンが書類の表面に展開されて、明暗調からなる画像を表しており、
前記画像は、書類をその背面から照明すると可視であり、
前記穿孔パターンは、レーザ光で形成され、穿孔パターンの形成とは異なった技術で書類に配置した画像と同じ画像を表している、
ことを特徴とする書類。
【請求項２】
請求項１に記載のものであって、穿孔パターンの形成とは異なった技術で配置した前記画像が、前記書類に固有の画像であることを特徴とする書類。
【請求項３】
請求項２に記載のものであって、前記書類がパスポートであり、前記画像がパスポート写真であることを特徴とする書類。
【請求項４】
請求項３に記載のものであって、前記安全のための特徴が、前記パスポート写真の配置されているページとは異なったパスポートのページに形成されていることを特徴とする書類。
【請求項５】
請求項１から４までの何れか一項に記載のものであって、前記穿孔パターンによる画像の明暗調が穿孔の大きさを変化させることによって表現されていることを特徴とする書類。
【請求項６】
請求項１から５までの何れか一項に記載のものであって、前記穿孔パターンによる画像の明暗調が穿孔の密度を変化させることによって表現されていることを特徴とする書類。
【請求項７】
請求項５又は６に記載のものであって、明調はそれぞれが高密度の穿孔である大量の穿孔によって表現されており、暗調はそれぞれが低密度の穿孔である少量の穿孔で表されていることを特徴とする書類。
【請求項８】
穿孔パターンの形での安全のための特徴を書類に形成する方法であって、
書類に穿孔パターンを連続形成するようにしたレーザ装置により穿孔パターンを形成しており、
穿孔の大きさ又は穿孔の密度が、穿孔パターンの形成とは異なった技術で形成された画像を電子化して得られた電子信号で制御されている、
ことを特徴とする方法。
【請求項９】
請求項８に記載の方法であって、前記書類がパスポートであり、該パスポートに配置したパスポート写真を表す穿孔パターンが当該パスポートに形成されていることを特徴とする方法。
【請求項１０】
請求項９に記載の方法であって、パスポート写真が電子光学装置により電子化されており、前記穿孔パターンがパスポート写真を電子化して得られた電子信号に基づいて形成されていることを特徴とする方法。
【請求項１１】
請求項１０に記載の方法であって、パスポート写真がパスポートに印刷された形で配置されていることを特徴とする方法。
【請求項１２】
穿孔パターンの形での安全のための特徴を書類に形成する装置であって、
穿孔パターンの形成とは異なった技術で形成された画像を電子化する電子光学装置と、
書類に穿孔パターンを形成するレーザ装置と、
該レーザ装置による穿孔の大きさ又は穿孔の密度を、前記電子光学装置で得られた電子信号に基づいて制御する制御手段とを備え、
請求項８から１１までの何れか一項において請求した方法を実施する装置。
【発明の詳細な説明】
技術分野
本発明は、穿孔パターンの形の安全のための特徴からなる、偽造から保護する書類に関する。
背景技術
斯かる書類については国際出願第PCT/NL95/00119号から知られているところである。
この従来の書類においては、穿孔パターンは一字分の文字か、複数の文字の形をしている。この穿孔パターンは個々では円形、矩形、もしくは文字状の穿孔の形で適用している。従って、これらの穿孔パターンは常に、強度に差のない白黒画像を表している。
これらの穿孔を作製することは、潜在的な偽造に対してすでに著しい防壁をなしているが、もっと偽造の困難な安全のための特徴に対する要求が依然として出されている。
この目的は、穿孔パターンを書類の表面にわたって展開して、明暗調（brightness tones）を表すことにより達成している。
ここでの穿孔パターンは、例えば斯くして処理した書類を光に対して透かすか、ライトボックスに載置すると、穿孔パターンのところで画像が見えるようになる。
明暗調を表す斯かる画像を配置するには高度に進んだ技術が必要であるのは明らかであろう。斯かる技術は、潜在偽造者にはアクセスできるものではないから、斯かる穿孔パターンが備わっている書類は非常に偽造し難いものである。
穿孔パターンは好ましくはレーザ光で適用されているのが望ましい。
この対策は、穿孔のあるところでは、例えば紙、プラスチック、又は布地の如くの素材が、例えば偽造者が書類をなぞったとしても、浮き上がりや溝、バリなどが感じられるようなことは全くないほど完全に除去されることから有益である。
例えば偽造者が円錐形状針を用いて穿孔パターンをなぞると、指先で容易に識別しうるカップ状のエッジないしバリが必ずできる。従って、これで偽造者を識別する絶好な手段が得られるのである。
もう一つの好ましい実施の形態によれば、穿孔パターンは異なった技術で書類に配置した画像を表している。
画像と穿孔とが裸眼で比較できることから、複雑な補助手段の開発を必要とすることなく、二つのうちの一つだけの完全ではないが、それほどの偽造が直ちに認知できる。よって、詐欺に対する高度な安全性が得られる。
この対策では、斯かる書類を作成するためには、異なった技術で穿孔パターンを作製する手段と対応する画像を作製する手段、並びに、この画像を記録して、穿孔パターンの作製に必要な手段の制御ができるようにそれをデジタル化する手段が必要である。
また別の好ましい実施の形態では、異なった技術で配置した画像は特定書類に対して固有の画像である。それにより、書類の個人所有化ができる。これにより、更に高度な安全性が得られるのは明らかであろう。
本発明の重要な適用例としては、書類がパスポートで、画像がパスポートの写真である場合が挙げられる。
その他の好ましい実施の形態については、従属請求項に記載されている。本発明は、書類に穿孔パターンを連続して宛うようにしたレーザ装置により穿孔パターンが作成され、また、穿孔の大きさないし穿孔の密度が画像を電子化して得られた電子信号で制御されるようにした、穿孔パターンの形での安全のための特徴を書類に適用する方法に関するものである点に注意されたし。
本発明は、前記方法を実施する装置にも関するものである。
以後、添付図面を参照しながら、本発明を詳述する。
【図面の簡単な説明】
図１は、本発明による書類製造装置の概略斜視図を示す。
図２は、図１に示した穿孔パターンの詳細図である。
図３は、本発明によるパスポートの概略斜視図を示す。
図４は、本発明による穿孔パターンを設けた銀行紙幣を示す図である。
図５は、本発明の別の実施の形態による穿孔パターンを設けた郵便切手を示す図である。
発明を実施するための最良の形態
技術を説明するに先立って、本発明の技術ではグラフィックアートにおけるが如く明暗調を形成することは、穿孔の大きさが強度の尺度となる固定したグリッドに従って形成した穿孔により可能であり、また、寸法の密度が強度の尺度となる、寸法の等しい穿孔を利用することで明暗調を再現することが可能である点を断っておく。
また、グラフィックアートでは第１オプションは、新聞に黒白写真が掲載される態様と等しく、また、第２技術の一例は、女王の肖像が可変密度のドットで表現されているオランダ国郵便切手に見られることも断っておく。
図１に示してあるのはビデオカメラ１で、このビデオカメラ１はパスポート写真２をねらっている。このビデオカメラ１はパスポート写真２を記録して、電子の形に変換すると共に、このようにして得た信号をコンピュータ３に供給し、コンピュータ３がそれを保存する。
図１の装置は，コンピュータ３により制御されるレーザ光発生手段４をも備えている。この制御は、レーザ装置４から発生するレーザ光５の強度と焦点合わせのみならず、レーザ光５が照射される方向にも関係している。書類６に穿孔パターン７を形成するために、この方向は二つの平面で変えることができるようになっている。
尚、このようなレーザ装置は従来公知であり、レーザ光を変えるために、ここでは図１に示していないが、ミラー系を用いている。
また、レーザ装置４は静止させて、書類６を載置したキャリアが移動できるようにすることも可能である。更に、キャリアが一方向に移動し、レーザ光が他方向に移動するようにすることも可能であり、種々の可能性のどれを採用するか、その選択は利用する技術に応じて決めてもよい。
しかし、穿孔パターン７としては、直径の異なる穿孔で構成し、この直径を画像が表す明暗調の関数となるようにすることが必須である。異なった密度の穿孔は、レーザ光が局所的により多くの又はより少ない穿孔を生成するようにすることで形成できる。
穿孔パターン７の詳細を示す図２にこのことを明確に示す。ここには、本発明の好ましい実施の形態では規則的な格子、例えば矩形格子に並べた穿孔８を以て穿孔パターンを形成しているのが示されている。穿孔の寸法は、穿孔パターン７が表す画像、本例ではパスポート写真２の明暗調の尺度となっている。尚、穿孔の寸法は連続的に、従って原理的にはアナログの態様で調整できる。即ち、デジタルコンピュータで処理することにより、精細で、しかも大量のステージがしかしながら得られるのである。試験の結果、該当する画像を適切に表現する（rendering）情報を形成する画像の表象を得るのがもちろん可能であり、それと容易に比較できることが示されている。
このようにして模倣が困難な良好な真正たる情報が得られるのは明らかである。
図３に、糊、筒状リベット或いはその他の貼付方法で写真２が固着されているパスポート９を示す。同一ページにおいて、それに近接して、画像を表す穿孔パターン７が形成されている。パスポートのそのページを光に対して透かすことにより、良好な比較が行える。
言うまでもないことではあるが、迅速な裸眼による比較が可能であれば、パスポートの次のページに穿孔パターンを形成することも可能である。この場合、少なくとも二ページにわたって偽造しなければならないことになるから、偽造が一層困難となる。また、画像は拡大しておいてもよいし、又は、縮小するか、その他の方法で変形してあってもよい。
図４に、本例の場合ではフクロウの形をしている穿孔パターン１１が備わっている銀行紙幣１０を示している。この穿孔パターンは、当該銀行紙幣にある別の画像とは関係がないものの、安全のための特徴それ自体を専ら構成していて、銀行紙幣にそのような安全のための特徴を設けることも可能である。ここでは従来と異なっているのは、画像１１は異なった明暗調を表しており、本例ではグレー階調を表している。グレー階調を表すために、本例では穿孔の寸法は同一で、穿孔の密度が異なっている自由格子を利用している。
このことは、図５に示した郵便切手にも適用でき、その郵便切手には女王の肖像の形での穿孔パターン１３が設けられており、何れも本例では組み合わされている、即ち、穿孔の寸法も異なった可変グリッドを組み合わせている。
【図１】
0004226653.tif 000002
【図２】
0004226653.tif 000003
【図３】
0004226653.tif 000004
【図４】
0004226653.tif 000005
【図５】
0004226653.tif 000006